(57)【要約】【課題】  滑走板は、雪面抵抗が大きて滑走性能に不快感があったり、ターン切り換え局面での重心移動が遅延時間になり、素早いターン運動をするのが困難で、一物の滑走板構造のイメージも恒常性になり、マテリアルの技術特性を阻害する要素が潜在化しているという不都合を解決すること。【解決手段】  滑走板の長い縦軸の平面立体構造の先端と後端部分を除いた、一枚板の外観立体構造の横軸の両サイドが対称になる、横軸の中央部が縦軸方向に盛り上がったパラメーターで、適度な曲線形状と横軸のたわみを有し、緩雪面抵抗構造と速回転切換構造の曲線形状半径を滑走に障害のない定数の範囲内にして、適度にサイドカーブ、たわみ、フレックス、トーションなどを融合することによって、全体的にバランスのとれたスピードコントロールができる構造とし、多様で可変が自由な構成を保有した滑走板と表面に適合したプレート類を設けることにより、この課題を解決する。【選択図】図１
2007313273.tif 000002
【特許請求の範囲】
【請求項１】
滑走板の長い縦軸の先端と後端部分を除いた、一枚板の外観立体構造の横軸の両サイドが対称になる、横軸の中央部が縦軸方向に盛り上がったパラメーターで、適度な曲線形状にした構成と横軸のたわみを有する、緩雪面抵抗構造と速回転切換構造を融合することによって、推進性能と回転性能が効果的になる滑走形態を備えたマテリアルを特徴とする変形立体構造の滑走板。
【請求項２】
滑走板の長い縦軸の平面立体構造のトップ部とテール部を除いた、一枚板の外観立体構造の横軸の両サイドが対称になる、横軸の中央部が縦軸方向に盛り上がったパラメーターで、適度な曲線形状にし、多様で可変が自由な構成を保有するようにしたスキー板と表面の凸曲線形状に適合するプレートを設けることを特徴とする請求項１記載の変形立体構造の滑走板。
【請求項３】
滑走板の長い縦軸の平面立体構造のノーズ部とテール部を除いた、一枚板の外観立体構造の横軸の両サイドが対称になる、横軸の中央部が縦軸方向に盛り上がったパラメーターで、適度な曲線形状にし、多様で可変が自由な構成を保有するようにしたスノーボードと表面の凸曲線形状に適合するブーツ用バイディングを設けることを特徴とする請求項１記載の変形立体構造の滑走板。
【請求項４】
滑走板の長い縦軸の平面立体構造のトップ部とテール部を除いた、一枚板としての外観立体構造の横軸の両サイドが対称になる、横軸の中央部が縦軸方向に盛り上がったパラメーターで、適度な曲線形状にし、多様で可変が自由な構成を保有するようにしたそりと表面の凸曲線形状に適合する足場を設けることを特徴とする請求項１記載の変形立体構造の滑走板。
【発明の詳細な説明】
【技術分野】
【０００１】  本発明は、スポーツ用具のスキー、スノーボード、そりなどの滑走板に関するものであり、滑走板特有の形状、構造、機能に工夫を加えることによって、滑走板全体が滑走の推進力増強やターン運動における切り換え局面での重心移動を素早くするようにし、滑走スピードとターン弧コントロールである、方向の制御の敏速性と安定性を開拓したものである。
【背景技術】
【０００２】  従来、滑走板は、先端部分と後端部分を除いて、たわみ・キャンバーやサイドカーブを持ち、底面部である滑走面は一部に浅い溝のあるものもあるがフラットなものが主流である平面立体構造のものであり、斜面上を真っ直ぐに滑ったり、滑走板を傾けてターンをする運動スタイルになっている。
【発明の開示】
【発明が解決しようとする課題】
【０００３】  しかし、従来の滑走板では、斜面上を真っ直ぐに滑る場合に、雪面抵抗が大きく直進性を妨げて、スピードが鈍化傾向にあり、滑走性の対応能力に不快感があったり、連続ターンをする場合にも、山回り、谷回りターンやフロントサイド、バックサイドターンなどのインサイドからアウトサイドへの荷重、角づけ、回旋のプロセスにおいて、運動の質的なものと運動の形態的なものなどの技術的に不合理がある。又、ターン時の切り換え局面でのクロスオーバー、重心移動は遅延時間になり、素早いターン運動が、瞬時的、連続的にするのが困難である。更に、滑走板には、一物としての滑走板構造のイメージが根強く浸透し恒常性になり、滑走板であるマテリアルの技術特性、性能を阻害する要素が潜在化しているのが現状である。本発明は、これらの不都合を解決することを課題とする。
【課題を解決するための手段】
【０００４】  この課題を解決するための請求項１の発明は、滑走板の長い縦軸の平面立体構造の一枚板の先端部分と後端部分を除いた両サイドから圧力を掛けてできるような形体で、一枚板の外観立体構造の横軸の両サイドが対称になる、横軸の中央部が縦軸方向に全体的、又は部分的に適度なパラメーター的に盛り上がった形状にした構成である、滑走板の上面の表面は凸曲線形状、下面の滑走面は凹曲線形状の外観立体構造が一枚の板にすることで、全体的に山形立体構造の本体を多様で可変が自由な形態にするように設けることにより、横軸方向のたわみを生起させ、滑走面と雪面間の抵抗を軽減するようにした緩雪面抵抗構造とターンの切り換え時間を短縮するようにした速回転切換構造を適度に融合することによって、推進性能と回転性能が効果的になるようにした滑走形態を備えたマテリアルを提供できることを特徴とする。【０００５】  又、請求項２の発明は、滑走板の長い縦軸の平面立体構造のトップ部とテール部を除いた、一枚板の外観立体構造の横軸の両サイドが対称になる、横軸の中央部が縦軸方向に盛り上がったパラメーターで、適度な曲線形状にし、緩雪面抵抗構造と速回転切換構造の曲線形状と曲線形状の半径の大きさが滑走に障害のない定数の範囲内にして、適度にサイドカーブ、たわみ、フレックス、トーション、レスポンスなどを融合することによって、全体的にバランスのとれたスピードコントロールができる構造とし、多様で可変が自由な構成を保有するようにしたスキー板と表面の凸曲線形状に適合して装着する、適度な振動吸収と高さを確保したプレートを設けることを特徴とする。【０００６】  又、請求項３の発明は、滑走板の長い縦軸の平面立体構造のノーズ部とテール部を除いた、一枚板の外観立体構造の横軸の両サイドが対称になる、横軸の中央部が縦軸方向に盛り上がったパラメーターで、適度な曲線形状にし、緩雪面抵抗構造と速回転切換構造の曲線形状と曲線形状の半径の大きさが滑走に障害のない定数の範囲内にして、適度にサイドカーブ、たわみ、フレックス、トーション、レスポンスなどを融合することによって、全体的にバランスのとれたスピードコントロールができる構造とし、多様で可変が自由な構成を保有するようにしたスノーボードと表面の凸曲線形状に適合して装着する、適度な振動吸収と高さを確保したブーツ用バイディングを設けることを特徴とする。【０００７】  又、請求項４の発明は、滑走板の長い縦軸の平面立体構造のトップ部とテール部を除いた、一枚板としての外観立体構造の横軸の両サイドが対称になる、横軸の中央部が縦軸方向に盛り上がったパラメーターで、適度な曲線形状にし、緩雪面抵抗構造と速回転切換構造の曲線形状と曲線形状の半径の大きさが滑走に障害のない定数の範囲内にして、適度にサイドカーブ、たわみ、フレックス、トーション、レスポンスなどを融合することによって、全体的にバランスのとれたスピードコントロールができる構造とし、多様で可変が自由な構成を保有するようにしたそりと表面の凸曲線形状に適合する足場を設けることを特徴とする。
【発明の効果】
【０００８】  本発明により、滑走面と雪面間の抵抗を軽減するようにした緩雪面抵抗構造を導入することによって、推進力が向上した滑走形態を備えたマテリアルを提供でき、スピード感のある滑走を楽しむことができる。【０００９】  本発明は、ターンの切り換え時間を短縮するようにした速回転切換構造を導入することによって、回転性能が効果的になる滑走形態を備えたマテリアルを提供でき、高度な滑走技術が可能になる。【００１０】  本発明は、速回転切換構造に加え、縦軸を含む横軸にもたわみを保有するため、効果的な雪面コンタクトを可能にし、クイックレスポンスでのエッジ切り換えを生起させることができる。【００１１】  本発明は、スキッディングターン、カービングターンが自由な形、パフォーマンスででき、初心者からエキスパートまでの全階級を対象であり、曲線形状構造の設定範囲、設定形態や半径の大きさの可変度合いによって、各プレーヤーの運動能力、スキル、使用方法などに合った、各種類の滑走板を作り出し、奥深いマテリアルを選択するものである。【００１２】  本発明において、雪面抵抗を軽減、ターンの切り換え時間短縮から、滑走板の横幅を少し大きめにすることも可能であり、安定性、エッジのグリップ力が増しコントロール性が良くなる。【００１３】  本発明の内傾角（体軸）は従来の内傾角（体軸）に比べて小さいことから、ターン時の切り換え局面でのクロスオーバー、重心移動は、素早いターン運動になり、ターン切り換え時間が短くなる。
【発明を実施するための最良の形態】
【００１４】  図１は、変形立体構造の滑走板のスキーの概略図例で、横軸の中央部が縦軸方向に盛り上がった曲線形状のパラメーターの断面図で、図中のＡＣは、縦軸の全体の曲線形状の半径を概ね平均化したもの、ＡＤは縦軸の中央部の曲線形状の半径を前後部分より小さくしたもの、ＡＥは縦軸の中央部の曲線形状の半径を前後部分より大きくしたものである。これらＡＣ，ＡＤ，ＡＥが本発明のスキー板に関する標準的なものであり、板の中心部に荷重して、ずれを調整すること、削る滑りをすることによって幅広い滑走を導く技術に対応できる、スキッディングターン、カービングターンが可能である。又、ＡＦ，ＡＧは特殊的なものになるが、ＡＦは縦軸方向の前部より後部にかけでの曲線形状の半径を小から大へ可変したもので、スキーのトップコントロールが比較的やりやすい構造になっている。カービングターンをするのにスキー板のトップ部分で効果的なエッジングをし、体軸をターン内側に積極的に入れることで、ターン内側主導のエッジングを強くする。脚の傾きを大きくすればするほど、スキー板はずれにくくなり、サイドカーブに追従したターン弧になる。このプロセスをサポートしやすくしたのが図中のＡＦのスキー板構造でスピード性があり、上級者やアスリート向けである。ＡＧは縦軸方向の前部より後部にかけての曲線形状の半径を大から小へ可変したもので、スキーのテールコントロールが比較的やりやすい構造になっている。ずれと制動要素がある滑りで、ターン外側にテールを押し出す動きにより、かかとに荷重し、ずれを導くプロセスをサポートしやすくしたのが図中のＡＧのスキー板構造でゆっくりした滑りに適した、初級者、中級者向けである。従って、曲線形状構造の設定範囲、設定形態や半径の大きさの可変度合いは、各プレーヤーの運動能力、スキル、使用方法などによって、各種類のスキー板を作り出し、選択するものである。【００１５】  図１の本発明は、横軸の中央部が縦軸方向に盛り上がった曲線形状のパラメーターで、緩雪面抵抗構造と速回転切換構造の曲線形状を共有したものである。曲線形状の半径が小さいと転倒しやすくなったり、スピードコントロールができない機能低下に陥る要素を含んでいるので、曲線形状半径の大きさが重要なものになってくる。スキー板の角づけ角の最小から有効最大角度とたわみが最小から最大荷重に移行、移動をくり返すプロセスにおいて、直斜線運動の直滑降や斜滑降と回転軌道に乗っていく回転運動のスキッディング、カービングのターン運動が可能であり、スキー板が操作性の良い適正な技術特性、性能を保持して滑走に障害のない条件下で、曲線形状半径の定数が有効範囲内を維持、満足した曲線形状構造体のものにすることが必要である。各適度なサイドカーブとベントによるたわみ、フレックスの柔らかさ、トーションの強度、レスポンス機能、スキー板全体の外観立体構造と形状、内部構造と素材、サイドエッジ構造などを駆使し、融合、整合することが不可欠になる。又、曲線形状半径の大きさはスキー板のタイプ、サイズ（板の長さ、トップ・ウエスト・テール幅）、設定位置などによっても有効定数が変わる。従って、マテリアルとして総合的に構築したバランスのとれたものになり、適正なスピー��コントロールができる、曲線形状半径の大きさが安定滑走の有効範囲内の、多様で可変が自由な構成を保有したスキー板である。【００１６】  図１の本発明は、従来のスキー板のターン切り換えからターン前半において、脚を曲げて強い外向形により、上体と脚の逆ひねりのねじれができ、ターン切り換えのニュートラル時の伸張、抜重とねじれが元に戻ろうとする力で、スキー板が回旋していくプロセスを適正にサポートする。曲線形状構造をしていることから、スキー板の縦軸とは別に、横軸にもたわみを保有することになり、荷重から抜重の運動形態において、蓄えられたエネルギーを解放して、両サイドエッジを切り換え、ターン切り換えと同時にトップ部から雪面へ食い込んで行くようにする。元来、ターンの切り換え時間を短縮するために曲線形状構造とした速回転切換構造に加え、縦軸を含む横軸方向のたわみによる相乗作用が、効果的な雪面コンタクトを可能にし、クイックレスポンスでのエッジ切り換えを生起させることになる。【００１７】  図１の本発明において、スキー板がターン運動をすると雪面抵抗は、迎え角の面、角づけの角度、スキーへの荷重のたわみなどで大きくなるが、本発明の曲線形状の緩雪面抵抗構造を導入することにより軽減できるものであり、スキー板の横幅を少し大きめにすることも可能である。ターンの切り換え時間を短縮する速回転切換構造の観点からも同じことが言える。横幅を広くすることで安定性も増す。又、曲線形状にすることで、エッジのグリップ力が増しコントロール性が良くなる。【００１８】  図２は、変形立体構造と従来の滑走板の角づけと内傾角の概略図例で、ターン運動中における内傾角は、荷重により角づけを導くものと、遠心力に対応してできる角づけがある。図中はターン速度、ターン弧が各同一で、向心力も一定の舵とり局面の場合で、左右ターンの同じ角づけ時における内傾角を、本発明と従来のスキー板で比較している。一般的な回転運動の内傾角は体軸とほぼ一体になっているので、内傾角を体軸に見立てると、図のＢＥの本発明の体軸（内傾角）はＢＦの従来の体軸（内傾角）に比べ小さくなって、左右を合わせると２倍のＢＥ、２倍のＢＦになり、その差は一段と大きいものになっていることから、本発明は、体軸の移動が小さく、左右のターン切り換え時間が短くなることがわかる。【００１９】  図３は、変形立体構造の滑走板のスキーの中央部分の概略断面図例で、プレートは適度な振動吸収と高さを確保し、スキー板に装着されるようになっているもの、バインディングと組み合わせたもの、単品であるものなどで、スキー板の表面の凸曲線形状の各種類において、標準化して互換性のあるプレートにするか、ある程度の凸曲線形状の変化したものに柔軟に対応できるものを作るようにする。【００２０】  図４は、変形立体構造の滑走板のスノーボードの概略図例で、横軸の中央部が縦軸方向に盛り上がった曲線形状のパラメーターの断面図で、図中のＤＤは、縦軸の全体の曲線形状の半径を概ね平均化したもの、ＤＥは縦軸の中央部の曲線形状の半径を前後部分より小さくしたもの、ＤＦは縦軸の中央部の曲線形状の半径を前後部分より大きくしたものである。これらＤＤ，ＤＥ，ＤＦが本発明のスノーボードに関する標���的なものである。【００２１】  図５は、変形立体構造の滑走板のそりの概略図例で、横軸の中央部が縦軸方向に盛り上がった曲線形状のパラメーターの断面図で、図中のＥＣは、縦軸の全体の曲線形状の半径を概ね平均化したもの、ＥＤは縦軸の中央部の曲線形状の半径を前後部分より大きくしたものである。これらＥＣ，ＥＤが本発明のそりに関する標準的なものである。【００２２】  スノーボード、そりについては、スキーの滑走板としての構成内容、使い方、運動形態などのプロセスが概ね同一的な要素を含んでいるので、詳細説明は割愛する。【００２３】  図中の本発明の曲線形状図は、わかりやすくするため比較的に半径を小さく図示しているが、実物は滑走に問題がない半径が大きいものである。【００２４】  図中の滑走板の先端と後端の接雪点部分の断面図は平面形状になって、適正であるが、滑走性の安定度と滑走板の構造加工の兼ね合いによっては、曲線形状にすることも可能である。【００２５】  本発明には、図示、説明してないが、スキーボード、スクォール、スノースクートなど、その他の滑走板にも適応することができる。【００２６】  図１、図４、図５は、変形立体構造の滑走板のスキー、スノーボード、そりの概略図例であり、本発明の特許請求の範囲を満足すれば、この限りではない。
【産業上の利用可能性】
【００２７】  本発明に係る変形立体構造の滑走板は、工業的に量産する事が可能であるため、産業上の利用可能性を有する。
【図面の簡単な説明】
【００２８】
【図１】  変形立体構造の滑走板のスキーの概略図例
【図２】  変形立体構造と従来の滑走板の角づけと内傾角の概略図例
【図３】  変形立体構造の滑走板のスキーの中央部分の概略断面図例
【図４】  変形立体構造の滑走板のスノーボードの概略図例
【図５】  変形立体構造の滑走板のそりの概略図例
【符号の説明】
【００２９】図中の文字、数字は次の通りである。
ＡＡ  ：スキー板の上面図              ＡＢ  ：スキー板の側面図
ＡＣ  ：板のパラメーター１の断面図    ＡＤ  ：板のパラメーター２の断面図
ＡＥ  ：板のパラメーター３の断面図    ＡＦ  ：板のパラメーター４の断面図
ＡＧ  ：板のパラメーター５の断面図
ＢＡ  ：右ターン時の角づけ            ＢＢ  ：左ターン時の角づけ
ＢＣ  ：変形立体構造のスキー板        ＢＤ  ：従来のスキー板
ＢＥ  ：本発明のおよその内傾角        ＢＦ  ：従来のおよその内傾角
ＣＡ  ：変形立体構造のスキー板        ＣＢ  ：変形立体構造のプレート
ＤＡ  ：フリースタイルボードの上面図  ＤＢ  ：アルペンボードの上面図
ＤＣ  ：スノーボードの側面図          ＤＤ  ：板のパラメーター６の断面図
ＤＥ  ：板のパラメーター７の断面図    ＤＦ  ：板のパラメーター８の断面図
ＥＡ  ：そりの上面図                  ＥＢ  ：そりの側面図
ＥＣ  ：板のパラメーター９の断面図    ＥＤ  ：板のパラメーター１０の断面図
【図１】
2007313273.tif 000003
【図２】
2007313273.tif 000004
【図３】
2007313273.tif 000005
【図４】
2007313273.tif 000006
【図５】
2007313273.tif 000007